(57)【要約】【課題】再印刷により無駄となる用紙の削減を図ると共に、用紙取り出し等のリカバリー作業時間の削減による効率向上を目的とする。【解決手段】給紙機構から用紙を給紙する手段と、印刷業務における後処理のために用紙綴じ機構へ印刷用紙を綴じて排紙する手段と、用紙搬送経路に滞留している用紙を認識する手段を有する印刷装置と、用紙ジャム発生時にホストシステムから受信した印刷ページをエラー発生直後の印刷ページから印刷装置へ再印刷させる手段を有する印刷制御装置とを有する後処理機能付印刷装置において、各印刷ページ情報を格納するページ情報テーブルと、ジャム発生時のジャム位置情報及び用紙滞留位置情報を格納する位置情報テーブルとを備え、ジャム発生時に、前記ページ情報テーブルと前記位置情報テーブルとの値から継続使用可能な用紙の位置を特定し、ジャムリカバリを実行することを特徴とする。【選択図】  図１
2010208704.tif 000002
【特許請求の範囲】
【請求項１】
給紙機構から用紙を給紙する手段と、印刷業務における後処理のために用紙綴じ機構へ印刷用紙を綴じて排紙する手段と、用紙搬送経路に滞留している用紙を認識する手段を有する印刷装置と、用紙ジャム発生時にホストシステムから受信した印刷ページをエラー発生直後の印刷ページから印刷装置へ再印刷させる手段を有する印刷制御装置とを有する
後処理機能付印刷装置において、
各印刷ページ情報を格納するページ情報テーブルと、ジャム発生時のジャム位置情報及び用紙滞留位置情報を格納する位置情報テーブルとを備え、ジャム発生時に、前記ページ情報テーブルと前記位置情報テーブルとの値から継続使用可能な用紙の位置を特定し、ジャムリカバリを実行することを特徴とする後処理機能付印刷装置。
【発明の詳細な説明】
【技術分野】
【０００１】
本発明は、後処理機能付印刷装置に係り、特に後処理業務における用紙ジャム時のリカバリ制御を有する後処理機能付印刷装置に関するものである。
【背景技術】
【０００２】
従来、ステープル業務において用紙ジャムが発生した場合は、ユーザーがジャムにより印刷装置内に残留している用紙を取り除いた後に、最初から印刷業務を継続するのが一般的である。
【０００３】
これは、印刷した用紙を印刷装置内のステープル排紙機構（以降、ステープルトレイと称する）に留めて纏めて綴じるというステープル業務の特性上、途中の印刷ページでジャム等のエラーが発生した場合は、ステープル業務として成立しないことになり、該当業務を中止して残留用紙を取り出した後で、最初の印刷ページから再印刷する必要があるためである。
【０００４】
そのため、用紙ジャムがステープル業務の最後の印刷ページで発生した場合も、最初の印刷ページから再印刷となるため業務完了までにかかる時間が倍増する。さらに、ジャムが発生するまでの間正常に印刷完了しステープルトレイに排紙した用紙も全て無駄となってしまう。用紙ジャムの頻度が高い印刷装置をステープル業務に使用していた場合、途中の印刷ページではなく最初のページから印刷となるため、ステープル枚数が多い業務の場合は再びジャムとなる確率が高くなり、用紙が無駄になるだけでなく、用紙の取り出し等のリカバリー作業に時間が取られることになり、業務効率は著しく低下する。
【発明の概要】
【発明が解決しようとする課題】
【０００５】
本発明は、ステープル業務における用紙ジャム発生後のリカバリー処理を工夫することで、再印刷により無駄となる用紙の削減を図ると共に、用紙取り出し等のリカバリー作業時間の削減による効率向上を目的とする。
【課題を解決するための手段】
【０００６】
前記目的を達成するため、本発明は、給紙機構から用紙を給紙する手段と、印刷業務における後処理のために用紙綴じ機構へ印刷用紙を綴じて排紙する手段と、用紙搬送経路に滞留している用紙を認識する手段を有する印刷装置と、用紙ジャム発生時にホストシステムから受信した印刷ページをエラー発生直後の印刷ページから印刷装置へ再印刷させる手段を有する印刷制御装置とを有する後処理機能付印刷装置において、
各印刷ページ情報を格納するページ情報テーブルと、ジャム発生時のジャム位置情報及び用紙滞留位置情報を格納する位置情報テーブルとを備え、ジャム発生時に、前記ページ情報テーブルと前記位置情報テーブルとの値から継続使用可能な用紙の位置を特定し、ジャムリカバリを実行することを特徴とするものである。
【発明の効果】
【０００７】
本発明の後処理機能付印刷装置は、ステープル業務における用紙ジャムの発生時に途中ページからのリカバリー動作を可能とすることで、用紙ジャム発生後のリカバリー作業の軽減、及び、リカバリー印刷に伴う無駄な印刷用紙の削減が可能となる。
【図面の簡単な説明】
【０００８】
【図１】本発明の実施例に係る後処理機能付印刷装置の概略構成図である。
【図２】本発明の実施例に係る印刷ページ情報テーブルの構成と、印刷ページ情報テーブルによるリカバリー概念を示す図である。
【発明を実施するための形態】
【０００９】
図１は、本発明の実施例に係る後処理機能付印刷装置の概略構成図である。
【００１０】
印刷装置１０１は印刷制御を行う印刷制御装置１０２を持つ。印刷装置１０１にはステープルユニット１０３が接続されており、ステープルユニット１０３内部には、ステープル対象印刷用紙を格納するためのステープルトレイ１０４が存在する。
【００１１】
ステープル業務に使用される印刷ページは、印刷装置１０１により印刷された後にステープルトレイ１０４に排紙格納され、ステープル最終ページの印刷が完了してステープルトレイ１０４に排紙完了した後にホチキス止め（ステープル）されて外部トレイ１０５に排出される。
【００１２】
印刷装置１０１及び、ステープルユニット１０３の用紙搬送パスには用紙センサーが装着されており、用紙ジャム時に滞留用紙の部位が分かるようになっている。
【００１３】
図２に、印刷ページ情報テーブルの構成と、印刷ページ情報テーブルによるリカバリー概念を示す図である。
【００１４】
印刷制御装置１０２は、用紙ジャムが発生した場合に、どの印刷ページからリカバリー印刷を始めるかを決定する。図２に示すように、印刷ページ情報テーブル１０６は印刷ページ情報２０１と、ジャム位置情報２０２と、用紙滞留位置情報２０３により構成されている。印刷制御装置１０２に存在するリカバリー処理は印刷ページ情報テーブル１０６の印刷ページ情報２０１により、正常に排紙された印刷ページを認識する。
【００１５】
ステープル業務実行時は、ステープル完了まで外部トレイ１０５に排出される用紙は存在しないため正常排紙された印刷ページはステープル業務の途中では常に“０”であるが、ステープル業務の途中からの印刷ページ印刷を可能とするために、印刷ページ情報２０１はステープルトレイ１０４に排紙完了した印刷ページも格納する。
【００１６】
ジャム位置情報２０２は、ジャム発生部位を示すエラーコードが格納され、用紙滞留位置情報２０３は、用紙ジャム発生時に滞留している用紙部位が格納されている。ここで、用紙滞留位置情報２０３は、滞留している用紙枚数により複数個の印刷ページ情報テーブル１０６に格納されることになる。
【００１７】
ステープル業務実行によりステープルトレイ１０４に排紙完了した印刷ページ（用紙）は、印刷ページ情報２０１により管理される。ホチキス止めされて外部トレイ１０５に排出された時点で、該当ステープル業務は終了し、ステープルトレイ１０４に存在する印刷ページは無くなるので印刷ページ情報テーブル１０６の全ての要素は“０”にリセットされる。
【００１８】
ステープル業務途中で用紙ジャムが発生した場合は、ジャム位置情報２０２が示すエラーコードによりジャム発生部位を特定する。さらに、用紙滞留位置情報２０３によりジャムにより滞留している用紙の用紙搬送パス上における部位を特定する。
【００１９】
ジャム位置情報２０２により特定されたジャム発生部位が、ステープルユニット１０３ではなく、用紙滞留位置情報２０３により特定された滞留用紙がステープルユニット１０３に存在しない場合、ステープルトレイ１０４に排紙完了した印刷ページ（用紙）は正常であると判断できる。これは、ステープルユニット１０３内の用紙ジャム及びステープルユニット１０３内に滞留用紙が存在する場合は、エラーにより電源が落ちているケースが多く、その場合はステープルトレイ１０４に排紙された用紙の折れが生じている可能性が高いが、エラー及び滞留用紙がステープルユニット１０３外である場合は、ステープルトレイ１０４に排紙された用紙は正常であると期待できるためである。
【００２０】
図２のリカバリー概念図を例に説明すると、１〜Ｎページは全てステープルトレイに排紙されているために、対応する印刷ページ情報テーブル１０６の印刷ページ情報２０１は全て排紙済みを示す。Ｎページが印刷装置出口で用紙ジャムにより滞留しているのでジャム位置情報２０２は、「Ｐｒｉｎｔｅｒ出口」、さらに用紙滞留位置情報２０３も「Ｐｒｉｎｔｅｒ出口」を示している。Ｎ＋１ページ以降のジャム位置情報２０２は“０”、用紙滞留位置情報２０３は印刷装置内の位置情報を示している。
【００２１】
これらの情報から、ジャム発生位置及び滞留用紙は、ステープルユニット１０３に存在せず、ステープルトレイ１０４に格納された１〜Ｎページは継続して使用可能と判断でき、ステープル業務の先頭ページからではなくジャム発生したＮページからの再印刷が可能となる。
【００２２】
以上から、ジャム位置情報２０２により特定されたジャム発生部位がステープルユニット１０３ではなく、用紙滞留位置情報２０３により特定された滞留用紙がステープルユニット１０３に存在しない場合、印刷制御装置１０２に存在するリカバリー処理は印刷ページ情報２０１が示す次の印刷ページから印刷再開を指示する。
【００２３】
ここで、印刷ページ情報２０１には、排紙完了したページ番号が示されているので、印刷制御装置１０２に存在するリカバリー処理は、どの印刷ページから再印刷を実行すれば良いのか判断可能である。
【００２４】
ジャム位置情報２０２により特定されたジャム発生部位がステープルユニット１０３である、又は、用紙滞留位置情報２０３により特定された滞留用紙がステープルユニット１０３に存在している場合、ステープルトレイに排紙された印刷ページ（用紙）の品質が保証されないため、印刷制御装置１０２は、ステープル業務の先頭ページから再印刷を実行する。
【００２５】
本実施例に示した動作により、ステープル業務における用紙ジャム発生時の再印刷を最初の印刷ページから実行すべきか、途中の印刷ページから実行可能かを判断することが可能となり、途中の印刷ページからのリカバリー実行時は先頭ページからのリカバリーに比べると無駄になる印刷用紙の削減も可能となる。
【００２６】
なお、印刷装置１０１において用紙ジャムが頻発する場合は、ステープルトレイ１０４に排紙された印刷ページは継続して使用することになるため、ステープルユニット１０３内の用紙取出しという作業を省略することが出来る。これは、用紙という貴重な資源の節約になるのみでなく、用紙ジャム時のリカバリー作業を軽減できる。
【符号の説明】
【００２７】
１０１：印刷装置、１０２：印刷制御装置、１０３：ステープルユニット、１０４：ステープルトレイ、２０１：印刷ページ情報、：２０２ジャム位置情報、２０３：用紙滞留位置情報。
【先行技術文献】
【特許文献】
【００２８】
【特許文献１】特開２００３−３４１９１１号公報
【図１】
2010208704.tif 000003
【図２】
2010208704.tif 000004